(57)【要約】【課題】  複数の開口数で記録・再生する場合において安定した発光素子の発光量を保つことができるようにする。【解決手段】  発光素子１ａ，１２ａと、これら発光素子１ａ，１２ａの出射光束を第１光束と第２光束とに分岐させるビームスプリッター３と、ビームスプリッター３で分岐した前光を検出する光検出器４と、開口制限部材５と、前記光検出器４から得られた信号を用いて発光素子１ａ，１２ａの出射光量を制御する制御器５０とを備える。光検出器４は、第１光束の内側光束を受光する円形状の第１検出領域と、第１光束の外側光束を受光する円環状の第２検出領域とを有する。制御器５０は、高開口数時には第１検出領域と第２検出領域との受光量に基づいて光量制御を行い、低開口数時には第１検出領域の受光量に基づいて光量制御を行なう。【選択図】      図４
2005267839.tif 000002
【特許請求の範囲】
【請求項１】
複数の光ディスクにそれぞれ対応した開口数で動作可能な光ディスク駆動装置であって、
光源と、この光源から出射された光束を第１光束と第２光束とに分岐する分岐素子と、この分岐素子によって分岐された前記第１光束を受光する第１検出器と、この第１検出器の受光量に応じて前記光源の出射量を制御する制御器と、前記第２光束を光ディスクで反射した後に受光する第２検出器とを備え、
前記第１検出器は、前記第１光束の内側光束を受光する第１検出領域と、前記第１光束の外側光束を受光する少なくとも１つ以上の第２検出領域とを有し、
前記制御器は、前記第１検出領域の受光量に基づいて前記光源の出射量を制御する第１制御状態と、前記第１検出領域及び前記第２検出領域の受光量に基づいて前記光源の出射量を制御する第２制御状態とに切り換え可能に構成されている
ことを特徴とする光ディスク駆動装置。
【請求項２】
前記分岐素子と前記光ディスクとの間には、前記分岐素子で分岐された前記第２光束を通過させる開口制限部材が配置され、
前記開口制限部材は、少なくとも第１開口状態と、この第１開口状態よりも大径の前記第２光束を通過させる第２開口状態とを切換可能に有している
ことを特徴とする請求項１に記載の光ディスク駆動装置。
【請求項３】
前記光源と前記分岐素子との間には、前記光源から前記分岐素子へ向かう光束を平行光束に変換するコリメートレンズが設けられ、
前記第１検出領域は、前記第１開口状態の開口制限部材を通過する前記第２光束と略同径の円形状に形成され、
前記第２検出領域は、前記第１検出領域の周囲に設けられ、かつ前記第２開口状態の開口制限部材を通過する前記第２光束と略同径の外径を有する円環状に形成されている
ことを特徴とする請求項２に記載の光ディスク駆動装置。
【請求項４】
前記開口制限部材は、前記第２光束の光束径を調整するために開口制限動作を行なうように構成され、
前記制御器は、前記開口制限部材の開口制限動作に連動させて前記第１制御状態と前記第２制御状態との切り換えを行なうように構成されている
ことを特徴とする請求項３に記載の光ディスク駆動装置。
【請求項５】
前記光源として、互いに波長の異なる光を出射する複数の光源が設けられ、
前記分岐素子と前記光ディスクとの間には、前記分岐素子で分岐された前記第２光束を通過させる開口制限部材が配置され、
前記開口制限部材は、通過する前記第２光束の光束径をこの第２光束の波長に基づいて調整するフィルターによって構成され、
前記制御器は、前記光源の何れが光を出射するかによって制御状態の切り換えを行なう構成とされている
ことを特徴とする請求項１に記載の光ディスク駆動装置。
【請求項６】
前記光源として、互いに波長の異なる光を出射する複数の光源が設けられ、
前記制御器は、前記光源の何れが出射するかによって制御状態の切り換えを行なう構成とされている
ことを特徴とする請求項１又は２に記載の光ディスク駆動装置。
【請求項７】
前記光源として、第１光源と、この第１光源よりも波長の短い光を出射する第２光源とが設けられ、
前記第１検出領域は、前記第１光源から出射されて前記分岐素子で分岐された前記第１光束を受光するように構成され、
前記第２検出領域は、前記第２光源から出射されて前記分岐素子で分岐された前記第１光束を受光するように構成されている
ことを特徴とする請求項６に記載の光ディスク駆動装置。
【請求項８】
開口数が約０．４５、約０．６及び約０．８５のうちの何れか２つに設定されている
ことを特徴とする請求項７に記載の光ディスク駆動装置。
【請求項９】
前記光源として、第１光源と、この第１光源よりも波長の短い光を出射する第２光源とと、この第２光源よりも波長の短い光を出射する第３光源とが設けられ、
前記第１検出器は、前記第１光束の内側光束を受光する第１検出領域と、前記第１光束の外側光束を受光する第２検出領域と、前記第１光束の最外側光束を受光する第３検出領域とを有し、
前記制御器は、前記第１検出領域の受光量に基づいて前記第１光源の出射量を制御する第１制御状態と、前記第１検出領域及び前記第２検出領域の受光量に基づいて前記第２光源の出射量を制御する第２制御状態と、前記第１検出領域、第２検出領域及び前記第３検出領域の総受光量に基づいて前記第３光源の出射量を制御する第３制御状態とに切り換え可能に構成されている
ことを特徴とする請求項６に記載の光ディスク駆動装置。
【請求項１０】
開口数が約０．４５、約０．６及び約０．８５に設定されている
ことを特徴とする請求項９に記載の光ディスク駆動装置。
【請求項１１】
前記複数の光源は、それぞれ別個のパッケージに設けられている
ことを特徴とする請求項６に記載の光ディスク駆動装置。
【請求項１２】
前記第１検出領域と前記第２検出領域とは、同心円状に形成されている
ことを特徴とする請求項１から１１の何れか１項に記載の光ディスク駆動装置。
【請求項１３】
前記分岐素子と前記第１検出器との間に回折素子が配置されており、
前記回折素子は、前記内側光束を第１検出領域に向かって回折させる第１回折部と、前記外側光束を第２検出領域に向かって回折させる第２回折部とを備えている
ことを特徴とする請求項１から１１の何れか１項に記載の光ディスク駆動装置。
【請求項１４】
前記回折素子と前記第１検出器との間には、集光素子が配置されている
ことを特徴とする請求項１３に記載の光ディスク駆動装置。
【請求項１５】
前記分岐素子と前記第１検出器との間には、前記分岐素子で分岐された前記第１光束を通過させる開口制限部材が配置され、
前記開口制限部材は、少なくとも第１開口状態と、この第１開口状態よりも大径の前記第２光束と略同径の光束を通過させる第２開口状態とを切換可能に有している
ことを特徴とする請求項１，２，６から１２の何れか１項に記載の光ディスク駆動装置。
【請求項１６】
前記分岐素子は、ホログラム素子によって構成されている
ことを特徴とする請求項１から１５の何れか１項に記載の光ディスク駆動装置。
【発明の詳細な説明】
【技術分野】
【０００１】
本発明は、光ディスクに光を照射して情報を記録または／および再生する光ディスク駆動装置に関するものである。
【背景技術】
【０００２】
従来、例えば特許文献１に開示されているように、２つの開口数（ＮＡ；Ｎｕｍｅｒｉｃａｌ  Ａｐｅｒｔｕｒｅ）で情報を記録再生できるようにした光ディスク駆動装置が提案されている。
【０００３】
図１５は、前記特許文献１に記載された従来の光ディスク駆動装置を示すものである。図１５に示すように、光ディスク駆動装置は、複数の受発光ユニット１３１，１３２と、光路一致手段である偏光ビームスプリッター１３５と、コリメートレンズ１３９と、光束分岐手段であるハーフミラー１４３と、単一の光検出器１４４と、対物レンズ１４０とを備える。受発光ユニット１３１は、発光素子１３３および第１受光素子１６１を備え、受発光ユニット１３２は、発光素子１３４および第１受光素子１６２を備える。光検出器１４４は、第２受光素子１５１を備える。発光素子１３３および発光素子１３４は、同時に駆動されることは無く、いずれか一方だけが駆動されて発光する。
【０００４】
光ディスク（記録媒体）１４１が駆動されるときには発光素子１３３が駆動される。このとき、発光素子１３３から出射された光束１３６は、偏光ビームスプリッター１３５を透過し、コリメートレンズ１３９によって略平行光に変換される。略平行光に変換された光束１３６は、対物レンズ１４０によって光ディスク１４１上に集光される。光ディスク１４１からの反射光はもと来た光路を逆にたどって受発光ユニット１３１に戻る。受発光ユニット１３１内において、反射光はホログラム素子（図示せず）によって第１受光素子１６１に導かれて受光される。
【０００５】
光ディスク（記録媒体）１４２が駆動されるときには発光素子１３４が駆動される。このとき、発光素子１３４から出射された光束１３７は、偏光ビームスプリッター１３５で反射して直角に折り曲げられ、光束１３６と同じ光路を通る。反射した光束１３７は、コリメートレンズ１３９によって略平行光に変換され、対物レンズ１４０によって光ディスク１４２上に集光される。光ディスク１４２からの反射光は、もと来た光路を逆にたどり受発光ユニット１３２に戻る。受発光ユニット１３２内において、反射光は第１受光素子１６２に導かれて受光される。
【０００６】
前記ハーフミラー１４３は、コリメートレンズ１３９からの平行光の一部を反射しその他を透過する。ハーフミラー１４３による光束１３６の反射光および光束１３７の反射光は、ともに検出器１４４内の単一の第２受光素子１５１によって前光として受光される。この検出器１４４から出力された信号を発光素子の駆動回路にフィードバックして発光素子１３３または発光素子１３４の出力を一定に保つ。
【０００７】
このように、光ディスク１４１または光ディスク１４２に信号を記録したり、光ディスク１４１または光ディスク１４２に記録された信号を再生したりする。
【特許文献１】特開平１０−２２２８６４号公報（図８）
【発明の開示】
【発明が解決しようとする課題】
【０００８】
しかしながら、前記従来の構成では、図１６に示すように、第２受光素子１５１で検出される光束は、光束１３６，１３７の中央部分だけなので、周囲の温度変化、発光出力の変化等によって発光素子１３３，１３４の発光パターンが変化した場合には、発光素子１３３，１３４の発光量と第２受光素子１５１の受光量との比例関係が崩れるため正確な光量制御ができなくなるという課題を有していた。
【０００９】
また、１つの光ディスク駆動装置において複数の開口数で記録・再生する場合、ある１つの開口数で光束の全光量を第２受光素子１５１で検出するように設定しても、他の開口数では光束の一部あるいは不要な光束まで検出することになり、正確な光量制御ができなくなるという課題を有していた。
【００１０】
本発明は、前記従来の課題を解決するもので、複数の開口数に対応可能な光ディスク駆動装置において、各開口数における光量制御に対して発光素子の安定した発光量を保持できるようにすることを目的とする。
【課題を解決するための手段】
【００１１】
前記の目的を達成するため、本発明は、複数の光ディスクにそれぞれ対応した開口数で動作可能な光ディスク駆動装置を前提として、光源と、この光源から出射された光束を第１光束と第２光束とに分岐する分岐素子と、この分岐素子によって分岐された前記第１光束を受光する第１検出器と、この第１検出器の受光量に応じて前記光源の出射量を制御する制御器と、前記第２光束を光ディスクで反射した後に受光する第２検出器とを備え、前記第１検出器は、前記第１光束の内側光束を受光する第１検出領域と、前記第１光束の外側光束を受光する少なくとも１つ以上の第２検出領域とを有し、前記制御器は、前記第１検出領域の受光量に基づいて前記光源の出射量を制御する第１制御状態と、前記第１検出領域及び前記第２検出領域の受光量に基づいて前記光源の出射量を制御する第２制御状態とに切り換え可能に構成されている。
【００１２】
この構成では、開口数の小さな設定時には、制御器が、第１光束の内側光束のみを受光する第１検出領域の受光量に基づいて光源の出射量を制御する一方、開口数の大きな設定時には、制御器が、第１光束の内側光束を受光する第１検出領域の受光量と、第１光束の外側光束を受光する第２検出領域の受光量との双方に基づいて光源の出射量を制御する。このように開口数に応じて検出領域を変えることで、各開口数の何れにおいても開口数に応じた第１光束の全光量を検出可能となるので、複数の開口数に対応可能な光ディスク駆動装置において、各開口数に対して正確な光量制御を行なうことができる。
【００１３】
前記分岐素子と前記光ディスクとの間に、前記分岐素子で分岐された前記第２光束を通過させる開口制限部材を配置し、前記開口制限部材は、少なくとも第１開口状態と、この第１開口状態よりも大径の前記第２光束を通過させる第２開口状態とを切換可能に有している構成としてもよい。
【００１４】
この構成では、開口制限部材によって、光ディスクに入射される第２光束に対応した開口数を複数段に設定することができる。
【００１５】
前記光源と前記分岐素子との間に、前記光源から前記分岐素子へ向かう光束を平行光束に変換するコリメートレンズを設け、前記第１検出領域が、前記第１開口状態の開口制限部材を通過する前記第２光束と略同径の円形状に形成され、前記第２検出領域が、前記第１検出領域の周囲に設けられ、かつ前記第２開口状態の開口制限部材を通過する前記第２光束と略同径の外径を有する円環状に形成されていてもよい。
【００１６】
この構成では、分岐素子に平行光束が入射されるので、分岐素子から出射されるときの第１光束及び第２光束と、第１検出器に入射されるときの第１光束とが同径となる。この結果、開口制限部材の第１開口状態における開口径と第１検出領域とを略同径とすればよく、また開口制限部材の第２開口状態における開口径と第２検出領域の外径とを略同径とすればよい。したがって、各開口数に対し、確実な全光量検出を容易に行なうことができる。
【００１７】
前記開口制限部材は、前記第２光束の光束径を調整するために開口制限動作を行なうように構成され、前記制御器は、前記開口制限部材の開口制限動作に連動させて前記第１制御状態と前記第２制御状態との切り換えを行なうように構成されていてもよい。
【００１８】
この構成では、各開口数に応じて制御器の制御状態を確実に合わせることができ、光源による出射光量制御を確実なものにすることができる。
【００１９】
前記光源として、互いに波長の異なる光を出射する複数の光源が設けられ、前記分岐素子と前記光ディスクとの間には、前記分岐素子で分岐された前記第２光束を通過させる開口制限部材が配置され、前記開口制限部材は、通過する前記第２光束の光束径をこの第２光束の波長に基づいて調整するフィルターによって構成され、前記制御器は、前記光源の何れが光を出射するかによって制御状態の切り換えを行なう構成とされていてもよい。
【００２０】
この構成では、開口制限部材の構成を簡素化しつつ、光源による出射光量制御を確実なものにすることができる。
【００２１】
前記光源として、互いに波長の異なる光を出射する複数の光源が設けられ、前記制御器は、前記光源の何れが出射するかによって制御状態の切り換えを行なう構成とされていてもよい。
【００２２】
この構成では、第１検出器が受光する光束の波長に応じて検出領域の選択を行なうので、各開口数に対してそれぞれ波長の異なる光束が用いられる場合に、各開口数に応じた光量検出を高精度に行なうことができる。
【００２３】
前記光源として、第１光源と、この第１光源よりも波長の短い光を出射する第２光源とが設けられ、前記第１検出領域は、前記第１光源から出射されて前記分岐素子で分岐された前記第１光束を受光するように構成され、前記第２検出領域は、前記第２光源から出射されて前記分岐素子で分岐された前記第１光束を受光するように構成されていてもよい。
【００２４】
この構成では、互いに波長の異なる２つの光源が用いられる構成において、第２光源から出射される波長の短い光束の光束径を大きくしても、その光束の全光量を第１検出器で検出可能にすることができ、複数の開口数が設定される場合であっても高精度な光量制御を行なうことができる。
【００２５】
開口数が約０．４５、約０．６及び約０．８５のうちの何れか２つに設定されていてもよい。
【００２６】
本構成によって、１つの光ディスク駆動装置として、ＣＤ（Ｃｏｍｐａｃｔ  Ｄｉｓｃ）に代表される開口数０．４５のシステムと、ＤＶＤ（Ｄｉｇｉｔａｌ  Ｖｅｒｓａｔｉｌｅ  Ｄｉｓｃ）に代表される開口数０．６のシステムと、ＢＤ（Ｂｌｕ−ｒａｙ  Ｄｉｓｃ）に代表される開口数０．８５のシステムとの中の何れか２つを組み合わせて構成した場合に、それぞれの開口数に応じた光量を制御するための信号を得ることができる。
【００２７】
前記光源として、第１光源と、この第１光源よりも波長の短い光を出射する第２光源とと、この第２光源よりも波長の短い光を出射する第３光源とが設けられ、前記第１検出器は、前記第１光束の内側光束を受光する第１検出領域と、前記第１光束の外側光束を受光する第２検出領域と、前記第１光束の最外側光束を受光する第３検出領域とを有し、前記制御器は、前記第１検出領域の受光量に基づいて前記第１光源の出射量を制御する第１制御状態と、前記第１検出領域及び前記第２検出領域の受光量に基づいて前記第２光源の出射量を制御する第２制御状態と、前記第１検出領域、第２検出領域及び前記第３検出領域の総受光量に基づいて前記第３光源の出射量を制御する第３制御状態とに切り換え可能に構成されていてもよい。
【００２８】
この構成では、互いに波長の異なる３つの光源が用いられる構成において、光源から出射される光束の波長が短くなるのに応じて光束径を大きくしても、その光束の全光量を第１検出器で検出可能にすることができ、複数の開口数が設定される場合であっても高精度な光量制御を行なうことができる。
【００２９】
開口数が約０．４５、約０．６及び約０．８５に設定されていてもよい。
【００３０】
本構成によって、１つの光ディスク駆動装置として、開口数０．４５のシステムと、開口数０．６のシステムと、開口数０．８５のシステムとを構成した場合に、それぞれの開口数に応じた光量を制御するための信号を得ることができる。
【００３１】
前記複数の光源が、それぞれ別個のパッケージに設けられていれば、光源として汎用のものを使用できるようになる。
【００３２】
前記第１検出領域と前記第２検出領域とは、同心円状に形成されていてもよい。
【００３３】
本構成では、第１光束の内側光束の光束径と外側光束の光束径に応じた検出領域パターンを第１検出器に構成するだけで開口数に応じた光量を制御するための信号を得ることができ、装置構成を簡素化することができる。
【００３４】
前記分岐素子と前記第１検出器との間に回折素子が配置されており、前記回折素子は、前記内側光束を第１検出領域に向かって回折させる第１回折部と、前記外側光束を第２検出領域に向かって回折させる第２回折部とを備えていてもよい。
【００３５】
この構成では、分岐素子で分岐された第１光束の内側光束と外側光束とを別個に回折させて分割することができるので、第１検出器の検出領域パターンの自由度を増大させることができる。また、第１検出器の位置調整が容易となる。
【００３６】
前記回折素子と前記第１検出器との間には、集光素子が配置されていてもよい。
【００３７】
本構成では、開口数に応じて回折素子で分割された光束を集光素子によって第１検出器上に集光して光量を制御するための信号を得ることができる。
【００３８】
前記分岐素子と前記第１検出器との間に、前記分岐素子で分岐された前記第１光束を通過させる開口制限部材が配置され、前記開口制限部材は、少なくとも第１開口状態と、この第１開口状態よりも大径の前記第２光束と略同径の光束を通過させる第２開口状態とを切換可能に有していてもよい。
【００３９】
この構成では、分岐素子で分岐された第１光束の光束径を開口制限部材によって調整するので、各検出領域で第１光束の全光量を受光できるように調整することができる。
【００４０】
前記分岐素子は、ホログラム素子によって構成されていてもよい。本構成によって、部品の集積化をはかることができる。
【発明の効果】
【００４１】
本発明の光ディスク駆動装置によれば、複数の開口数に対応できるとともに、各開口数に対して安定した発光素子の発光量を保持することができる。
【発明を実施するための最良の形態】
【００４２】
以下、本発明を実施するための最良の形態について図面を参照しながら詳細に説明する。
【００４３】
（実施の形態１）
図１は、本発明の実施の形態１における光ディスク駆動装置を示す図である。図２は、光検出器の形状および演算回路を示した図である。図１に示すように、本光ディスク駆動装置は、２つの開口数（高開口数と低開口数）が設定可能に構成されるものであり、光源である発光素子１ａと、コリメートレンズ２と、分岐素子であるビームスプリッター３と、第１検出器である光検出器４と、開口制限部材５と、対物レンズ６と、第２検出器である光検出器９と、制御器５０とを主要要素として備えている。この光ディスク駆動装置では、記録媒体である光ディスク７ａが装填された場合には、高開口数の設定となり、光ディスク７ｂが装填された場合には、低開口数の設定となる。
【００４４】
発光素子１ａは、パッケージ１に搭載されており、光束を出射する発光部を構成する。コリメートレンズ２は、前記発光素子１ａとビームスプリッター３との間に配置され、発光素子１ａから出射されてビームスプリッター３へ向かう光束１０を略平行光に変換する。ビームスプリッター３は略平行光に変換された光束１０を分岐するものであり、反射面３ａを有する。ビームスプリッター３の反射面３ａにおいて、光束１０は、光検出器４へ導かれる第１光束と、対物レンズ６（記録媒体である光ディスク７ａ，７ｂ）へ導かれる第２光束とに分岐される。
【００４５】
前記光検出器４は、平行光束１０のうちビームスプリッター３の反射面３ａで反射された第１光束を検出する。
【００４６】
前記開口制限部材５は、ビームスプリッター３と対物レンズ６との間に配置されている。開口制限部材５は、平行光束１０のうちビームスプリッター３の反射面３ａを透過して対物レンズ６へ入射される第２光束の光束径（直径）を制限するように調整するものであり、第１開口状態と第２開口状態の２つの開口状態に切り換え可能に構成されている。第１開口状態は、低開口数に設定されるときの開口状態であり、第２光束の外周光束を遮蔽することにより第２光束１０ｂの光束径を直径φＢとして通過させる。図１ではこの第２光束１０ｂを実線で示している。一方、第２開口状態は、高開口数に設定されるときの開口状態であり、第２光束１０ａの光束径を直径φＡとして通過させる。図１ではこの第２光束１０ａを破線で示している。
【００４７】
開口制限部材５は、液晶素子への印加電圧を制御することにより前記開口状態を切り換える構成とされている。この開口制限部材５の開口状態の切り換えは、後述するように前記制御器５０によって行なわれるようになっている。なお、開口制限部材５は、内径φＡと内径φＢの開口部を有する遮光部材を第２光束の光路中に出し入れする構成としたり、内径がφＡとφＢとの間で可変な開口部を有する遮光部材によって構成して、開口制限を切り換える構成としてもよい。この場合には、制御器５０によって開口制限部材の駆動制御を行なう構成となる。
【００４８】
前記対物レンズ６は、光ディスク７ａ，７ｂ上に光束を集光するためのものである。光ディスク７ａは、開口制限部材５が第２開口状態にある（高開口数）ときに、直径φＡの第２光束１０ａが集光されて記録・再生を行なう記録媒体である。また光ディスク７ｂは、開口制限部材５が第１開口状態にある（低開口数）ときに、直径φＢの第２光束１０ｂが集光されて記録・再生を行なう記録媒体である。
【００４９】
分岐素子３と光検出器９との間には検出レンズ８が配設されている。この検出レンズ８は光ディスク７ａ、７ｂで反射された光束を光検出器９上に集光する。光検出器９は、サーボ信号およびＲＦ信号を検出するためのものである。
【００５０】
光検出器４は、図２に示すように、第１検出領域４ｂと、第２検出領域４ａとを有している。両検出領域４ａ、４ｂは、光検出器４に略同心円状に構成されている光検出部を構成する。第１検出領域４ｂは、低開口数時の第２光束の直径φＢとほぼ同じ外径を有する円形状の領域によって構成されている。これにより、第１検出領域４ｂには、低開口数時の第１光束又は高開口数時における第１光束の内側光束が入射されるようになっている。一方、第２検出領域４ａは、第１検出領域を囲むように第１検出領域の外周側に形成されるものであり、低開口数時の第２光束の直径φＢとほぼ同じ内径を有し、かつ高開口数時の第２光束の直径φＡとほぼ同じ外径を有する円環状の領域によって構成されている。これにより、第２検出領域４ａには、第１光束の外側光束が入射されるようになっている。
【００５１】
前記制御器５０は、発光素子駆動回路５１と、駆動制御回路５２と、開口切換回路５３とを備えている。
【００５２】
駆動制御回路５２は、光検出器４からの検出信号が入力される一方、発光素子駆動回路５１に対して制御信号を出力するものである。この駆動制御回路５２は、２つの電流電圧変換アンプ５４ａ，５４ｂと、加算アンプ５５ａとを備え、第１制御状態と第２制御状態とに切り換え可能に構成されている。第１制御状態では、第１検出領域４ｂで受光された第１光束の受光量に応じた制御信号が出力される。第２制御状態では、両検出領域４ｂ，４ａで受光された第１光束の受光量に応じた制御信号が出力される。
【００５３】
発光素子駆動回路５１は、駆動制御回路５２からの出力電圧に応じて発光素子１ａへのフィードバック信号を出力し、発光素子１ａの出射光量を制御するように構成されている。
【００５４】
開口切換回路５３は、装填される光ディスク７ａ，７ｂの基材厚み（光ディスクの対物レンズ６側の表面から記録層までの距離）に応じて開口制限部材５の開口制限の切り換えを制御するように構成されている。この切り換え制御は、例えば液晶素子への印加電圧を制御することによって行われる。
【００５５】
以上のように構成された光ディスク駆動装置について、以下その動作について説明する。光ディスク駆動装置に光ディスク７ａが装填されている場合には、制御器５０は、開口制限部材５を高開口数となる第２開口状態に切り換えるとともに、駆動制御回路５２を第２制御状態に切り換えられる。
【００５６】
発光素子１ａから出射された光束１０は、コリメートレンズ２により略平行光に変換されてビームスプリッター３に入射される。このビームスプリッター３に入射された光束１０は、その一部である第２光束がビームスプリッター３の反射面３ａを透過する一方、残部である第１光束がビームスプリッター３の反射面３ａで反射される。
【００５７】
反射面３ａを透過した第２光束は、開口制限部材５を通過する際に、光束径φＡに開口制限された光束１０ａとなり、この光束１０ａは対物レンズ６を透過して光ディスク７ａ上に焦点を結ぶ。光ディスク７ａで反射された光束１０ａは、対物レンズ６及び開口制限部材５を通過して、ビームスプリッター３に入射される。この光束１０ａは、反射面３ａで反射され、検出レンズ８で光検出器９上にスポットが結ばれ、これによりサーボ信号およびＲＦ信号が検出される。
【００５８】
一方、前記ビームスプリッター３の反射面３ａで反射された第１光束は、光検出器４に入射される。この第１光束は、高開口数時の光束１０から分岐されたものであり、第１検出領域４ｂと第２検出領域４ａの全面に入射される。したがって、光検出器４では、直径φＡの第２光束１０ａに対応する第１光束の光量が検出される。そして、両検出領域４ｂ，４ａで得られた電流はそれぞれ電流電圧変換アンプ５４ａ，５４ｂによって電圧に変換される。そして、制御器５０において、第１検出領域４ｂに接続された電流電圧変換アンプ５４ａからの単独信号Ｃと、両電流電圧変換アンプ５４ａ，５４ｂからの信号が加算アンプ５５ａによって加算されることによって得られる加算信号Ｄが得られる。そして、高開口数時には、加算信号Ｄが発光素子駆動回路５１へ出力され、この発光素子駆動回路５１からのフィードバック信号によって発光素子１ａの出力を一定に保持する制御が行われる。つまり、高開口数時には、光束径φＡの光束による光量を受光し、それに応じた制御を行っている。
【００５９】
これに対し、光ディスク駆動装置に光ディスク７ｂが装填されている場合には、開口制限部材５が低開口数となる第１開口状態に切り換えられるとともに、駆動制御回路５２が第１制御状態に切り換えられる。
【００６０】
ビームスプリッター３の反射面３ａを透過して開口制限部材５を通過する第２光束は、光束径φＢに開口制限された光束１０ｂとなり、前記同様に対物レンズ６を透過して光ディスク７ｂ上に焦点を結ぶ。そして、この光束１０ｂは、対物レンズ６、開口制限部材５及びビームスプリッター３に入射されて反射面３ａで反射され、光検出器９上にスポットを結ぶ。
【００６１】
一方、ビームスプリッター３の反射面３ａで反射された第１光束は、光検出器４の第１検出領域４ｂ及び第２検出領域４ａに入射される。そして、制御器５０は、第１検出領域４ｂに接続された電流電圧変換アンプ５４ａからの単独信号Ｃを発光素子駆動回路５１へ出力する。つまり、低開口数時には、光束径φＢの第２光束１０ｂに対応する第１光束１０ｂの光量が検出される。そして発光素子１ａの出力を一定に保持する制御が行われる。
【００６２】
かかる構成によれば、それぞれの開口数（若しくは記録または再生の対象となる光ディスク）に最適な前光検出用の信号を得ることができ、開口数（若しくは記録または再生の対象となる光ディスク）にあわせて正確な発光素子１ａの駆動を行なうことができる。
【００６３】
また、本実施形態１では、ビームスプリッター３で分岐されたときの第１光束及び第２光束と、光検出器４に入射されるときの第１光束とが同径となる。そして、開口制限部材５の第１開口状態における開口径と第１検出領域４ｂとが略同径とされ、また開口制限部材５の第２開口状態における開口径と第２検出領域４ａの外径とが略同径とされているので、各開口数に対し、確実な全光量検出を容易に行なうことができる。
【００６４】
また、本実施形態１では、開口制限部材５の開口制限動作に連動させて第１制御状態と第２制御状態との切り換えを行なうようにしたので、各開口数に応じて制御器５０の制御状態を確実に合わせることができ、発光素子による出射光量制御を確実なものにすることができる。
【００６５】
また、本実施形態１では、第１検出領域４ｂと第２検出領域４ａとを同心円状に形成するようにしたので、第１光束の内側光束と外側光束に応じた検出領域パターンを光検出器４に構成するだけで開口数に応じた光量を制御するための信号を得ることができ、装置構成を簡素化することができる。
【００６６】
（実施の形態２）
図３は、本発明の実施の形態２における光ディスク駆動装置を示している。図３に示すように、本実施形態２では、高開口数時に使用される発光素子１ａと、低開口数時に使用する発光素子１ｂとが設けられている。なお、図３では、発光素子１ａから出射される光束１０を破線で示し、発光素子１ｂから出射される光束１１を実線で示している。
【００６７】
発光素子１ａと発光素子１ｂとは、互いに波長の異なる光を出射するものであり、例えば発光素子１ａは、４０５ｎｍの波長を有する光を出射し、発光素子１ｂは、６５０ｎｍの波長を有する光を出射する。この実施形態２では、両発光素子１ａ，１ｂは１つのパッケージ１に配設されている。なお、発光素子１ａ及び発光素子１ｂは、これに限られるものではなく、４０５ｎｍ、６５０ｎｍ、７９０ｎｍの波長のうち、発光素子１ａからの出射光の波長が発光素子１ｂからの出射光の波長よりも短くなるような組み合わせであればよい。
【００６８】
開口制限部材５は、発光素子１ａから出射された第２光束１０の外周部分を遮蔽して直径φＡにした光束１０ａを通過させて対物レンズ６へ導く一方、発光素子１ｂから出射された第２光束１１の外周部分を遮蔽して直径φＢにした光束１１ａを通過させて対物レンズ６へ導くように構成されている。
【００６９】
制御器５０は、高密度で光ディスク７ａの記録再生を行なうときには、発光素子１ａを発光させるとともに、この発光素子１ａからの出射光束１０を開口制限部材５で光束径φＡとする開口制限をかけるように構成されている。また、制御器５０は、低密度で光ディスク７ｂの記録再生を行なうときには、発光素子１ｂを発光させるとともに、この発光素子１ｂからの出射光束１１を開口制限部材５で光束径φＢとする開口制限をかけるように構成されている。発光素子１ａおよび発光素子１ｂは同時に駆動されることはなく、記録または再生の対象となる光ディスク７ａ，７ｂに応じていずれか一方だけが駆動されて発光する。他の動作は実施の形態１と同様であるので、ここでは詳細な説明を省略する。
【００７０】
かかる構成によれば、光検出器４が受光する第１光束の波長に応じて検出領域４ｂ，４ａの選択を行なうようにしているので、各開口数に対してそれぞれ波長の異なる光束が用いられる場合に、各開口数に応じた光量検出を高精度に行なうことができる。
【００７１】
なお、開口制限部材５は、通過する光束の波長に基づいて光束径を調整可能な波長選択型フィルターによって構成することもできる。この場合には開口切換回路５３を省略することができる。
【００７２】
その他の構成等は実施形態１と同様である。
【００７３】
（実施の形態３）
図４は、本発明の実施の形態３における光ディスク駆動装置を示している。図４に示すように、本実施形態３では、実施形態２と異なり、複数の発光素子が別個のパッケージに配設されている。
【００７４】
本実施形態３では、発光素子１ａがパッケージ１に搭載される一方、発光素子１２ａがパッケージ１２に搭載されている。図４では、発光素子１ａから出射された光束１５のうち、開口制限部材５によって外周部分が遮蔽されて直径φＡとされた光束１５ａを破線で示している。また同図では、発光素子１２ａから出射された光束１６のうち、開口制限部材５によって外周部分が遮蔽されて直径φＢとされた光束１６ａを実線で示している。
【００７５】
発光素子１ａと発光素子１２ａとは、互いに波長の異なる光を出射するものであり、例えば発光素子１ａは４０５ｎｍの波長を有する光を出射し、発光素子１２ａは６５０ｎｍの波長を有する光を出射する。高開口数時には発光素子１ａが駆動される一方、低開口数時には発光素子１２ａが駆動される。発光素子１ａおよび発光素子１２ａは同時に駆動されることはなく、記録または再生の対象となる光ディスクに応じていずれか一方だけが駆動される。なお、発光素子１ａ及び発光素子１２ａは、これに限られるものではなく、４０５ｎｍ、６５０ｎｍ、７９０ｎｍの波長のうち、発光素子１ａからの出射光の波長が発光素子１２ａからの出射光の波長よりも短くなるような組み合わせであればよい。
【００７６】
発光素子１２ａとビームスプリッター３との間にもコリメートレンズ１３が配置されている。コリメートレンズ２は、発光素子１ａから出射されてビームスプリッター３へ向かう光束１５を平行光束に変換する。一方、コリメートレンズ１３は、発光素子１２ａから出射されてビームスプリッター３へ向かう光束１６を平行光束に変換する。
【００７７】
ビームスプリッター３には、発光素子１ａからの光束１５と、発光素子１２ａからの光束１６とが互いに直交する方向から入射される。そして、ビームスプリッター３の反射面３ａは、発光素子１ａから出射された光束を第１光束と第２光束とに分岐する。第１光束は、反射面３ａで反射されて９０度折り曲げられることで光検出器４へ導かれる。第２光束は、反射面３ａを透過されて対物レンズ６へ導かれる。またビームスプリッター３の反射面３ａは、発光素子１２ａから出射された光束を第１光束と第２光束とに分岐する。第１光束は、反射面３ａを透過されて光検出器４へ導かれる。第２光束は、反射面３ａで反射されて９０度折り曲げられることで対物レンズ６へ導かれる。
【００７８】
ビームスプリッター３と開口制限部材５との間に、ビームスプリッター１４が配設されている。ビームスプリッター１４は光束を分岐するためのものであり、反射面１４ａを有する。この反射面１４ａは、ビームスプリッター３からの光束を透過して対物レンズ６へ導く一方、対物レンズ６を透過した光束を反射して光検出器９へ導くように構成されている。
【００７９】
開口制限部材５は、ビームスプリッター１４と対物レンズ６との間に配置されている。
【００８０】
高密度で光ディスク７ａの記録再生を行なう高開口数時には、発光素子１ａが発光し、開口制限部材５は、この発光素子１ａからの出射光束１５を光束径φＡとする開口制限をかける。一方、低密度で光ディスク７ｂの記録再生を行なう低開口数時には、発光素子１２ａが発光し、この発光素子１２ａからの出射光束１６を光束径φＢとする開口制限をかける。
【００８１】
高開口数時に発光素子１ａから出射された光束１５は、コリメートレンズ２により略平行光に変換され、ビームスプリッター３に入射されて第１光束と第２光束とに分岐される。第２光束は、反射面３ａを透過してビームスプリッター１４に入射され、その反射面１４ａを透過して開口制限部材５で直径φＡに開口制限される。この光束１５ａは対物レンズ６に入射して光ディスク７ａ上に焦点を結ぶ。そして、光ディスク７ａで反射された光束１５ａは、対物レンズ６及び開口制限部材５を通ってビームスプリッター１４に入射され、その反射面１４ａで反射されて検出レンズ８によって光検出器９上に集光される。このようにサーボ信号およびＲＦ信号が検出される。
【００８２】
一方、低開口数時に発光素子１２ａから出射された光束１６は、コリメートレンズ１３によって略平行光に変換され、ビームスプリッター３に入射されて第１光束と第２光束とに分岐される。第２光束は、反射面３ａで反射されてビームスプリッター１４に入射され、その反射面を透過して開口制限部材５で直径φＢに開口制限される。この光束１６ａは対物レンズ６に入射して光ディスク７ｂ上に焦点を結ぶ。光ディスク７ｂで反射された光束１６ａは、対物レンズ６及び開口制限部材５を再び通ってビームスプリッター１４に入射され、その反射面１４ａで反射されて検出レンズ８によって光検出器９上に集光される。このようにサーボ信号およびＲＦ信号が検出される。
【００８３】
高開口数時及び低開口数時の何れにおいても、前記ビームスプリッター３の反射面３ａで分岐された第１光束は、光検出器４に入射される。このとき、発光素子１ａからの出射光束は、第１検出領域４ｂ及び第２検出領域４ａで検出される。そして、各検出領域４ｂ，４ａからの検出信号はそれぞれ電流−電圧変換アンプ５４ａ，５４ｂにより電圧に変換され、単独信号Ｃと加算アンプ５５ａによる加算信号Ｄが得られる。
【００８４】
高開口数時には、加算信号Ｄが制御器５０からのフィードバック信号として用いられて発光素子１ａの出力を一定に保持する制御が行われる。つまり、高開口数時には、外側光束の受光量と内側光束の受光量との総受光量に基づく光量制御が行われる。一方、低開口数時には、単独信号Ｃが制御器５０からのフィードバック信号として用いられて発光素子１２ａの出力を一定に保持する制御が行われる。つまり、低開口数時には、内側光束の受光量に基づく光量制御が行なわれる。
【００８５】
かかる構成によれば、発光素子１ａから出射される波長の短い光束の光束径を大きくしても、その光束の全光量を光検出器４で検出可能にすることができ、複数の開口数が設定される場合であっても高精度な光量制御を行なうことができる。
【００８６】
なお、開口制限部材５は、通過する光束の波長に基づいて光束径を調整可能な波長選択型のフィルターによって構成することもできる。こうすれば開口制限部材５の構成を簡素化できる。なお、この場合には開口切換回路５３を省略することができる。
【００８７】
その他の構成等は実施形態２と同様である。
【００８８】
（実施の形態４）
図５は本発明の実施の形態４における光ディスク駆動装置を示し、また図６はこの光ディスク駆動装置に設けられている光検出器と駆動制御回路５２とを示している。
【００８９】
図５に示すように、ビームスプリッター３と光検出器（第１検出器）１８との間にはホログラム素子１７が配置されている。このホログラム素子１７は前光を開口数に応じて分離するものである。光検出器１８は、ホログラム素子１７で分離された前光を検出する。
【００９０】
図７に示すように、ホログラム素子１７は、第１回折部１７ｂと第２回折部１７ａとを備えている。両回折部１７ｂ，１７ａは略同心円状に形成されるものであり、第１回折部１７ｂは、直径が略φＢの円形状の回折領域によって構成される一方、第２回折部１７ａは、第１回折部１７ｂの周囲に形成された外径が略φＡの円環状の回折領域によって構成されている。第１回折部１７ｂの外径は、低開口数時に開口制限部材５によって開口制限されるときの第２光束の光束径φＢと略同じである。第２回折部１７ａの外径は、高開口数時に開口制限部材５によって開口制限されるときの発光素子１ａから出射する第２光束の光束径φＡと略同じである。
【００９１】
図６に示すように、光検出器１８には、第１検出領域１８ｂと第２検出領域１８ａとが設けられている。第１検出領域１８ｂは、第１回折部１７ｂで回折された前光が入射され、この第１検出領域１８ｂにはその光スポット１８ｄが形成される。一方、第２検出領域１８ａは、第２回折部１７ａで回折された前光が入射され、この第２検出領域１８ａにはその光スポット１８ｃが形成される。
【００９２】
第１検出領域１８ｂは、その光スポット１８ｄに比べて大きな領域に形成されている。つまり、両発光素子１ａ，１２ａより出射される光の発振波長が異なるため、回折領域１７ｂで回折される回折方向が異なるが、第１検出領域１８ｂはこれらの光束のいずれをも受光できる程度の大きさを有している。
【００９３】
本実施形態４では、高開口数時において、発光素子１ａから出射されコリメートレンズ２で平行光束に変換されてビームスプリッター３に入射した光束１５のうち、反射面３ａで反射された第１光束（前光）がホログラム素子１７に入射される。この高開口数時には、ホログラム素子１７の第１回折部１７ｂで内側光束が回折されるとともに、第２回折部１７ａで外側光束が回折される。このとき、内側光束と外側光束とはそれぞれ異なる方向に回折し、内側光束は光検出器１８の第１検出領域１８ｂで、また外側光束は第２検出領域１８ａでそれぞれ光スポット１８ｄ，１８ｃとして集光される。
【００９４】
一方、低開口数時には、発光素子１２ａから出射されコリメートレンズ１３で平行光束に変換されてビームスプリッター３に入射した光束１６のうち、反射面３ａを透過した第１光束（前光）がホログラム素子１７に入射される。この光束１６の内側光束は、ホログラム素子１７の第１回折部１７ｂで回折されて光検出器１８の第１検出領域１８ｂで検出される。また光束１６の外側光束は、第２回折部１７ａで回折されて第２検出領域１８ａで検出される。
【００９５】
検出領域１８ｂ，１８ａで発生した電流はそれぞれ電流電圧変換アンプ５４ａ，５４ｂにより電圧に変換され、単独信号Ｅと加算アンプ５５ａを経由する加算信号Ｆとが得られる。高開口数時には、加算信号Ｆがフィードバック信号として用いられ、発光素子１ａの光量制御が実行される。一方、低開口数時には、単独信号Ｅがフィードバック信号として用いられ、発光素子１２ａの光量制御が実行される。なお、サーボ信号およびＲＦ信号の検出動作については、実施形態３と同様である。
【００９６】
本実施形態４によれば、ビームスプリッター３で分岐された第１光束の内側光束と外側光束とを、ホログラム素子１７の各回折部１７ｂ，１７ａによって別個に回折させて両光束を分割することができるので、光検出器１８の検出領域パターンの自由度を増大させることができる。
【００９７】
また、本実施形態４では、各回折部１７ａ，１７ｂで回折される光束が検出領域１８ａ，１８ｂへ集光するように、各回折部１７ａ，１７ｂのパターンを形成するようにしているので、光検出器１８をより小型に構成することができる。
【００９８】
なお、開口制限部材５は、通過する光束の波長に基づいて光束径を調整可能な波長選択型フィルターによって構成することもできる。この場合には開口切換回路５３を省略することができる。
【００９９】
その他の構成等は実施形態３と同様である。
【０１００】
（実施の形態５）
図８は本発明の実施の形態５における光ディスク駆動装置を示している。図８に示すように、本実施形態５では、ホログラム素子１７と光検出器１８との間に集光レンズ１９が配設されている。この集光レンズ１９は、ビームスプリッター３から出射された光束を光検出器１８に集光させるものである。
【０１０１】
本実施形態５では、高開口数時において、発光素子１ａから出射されコリメートレンズ２を通ってビームスプリッター３に入射された光束１５のうち、反射面３ａで反射された第１光束（前光）がホログラム素子１７に入射される。ホログラム素子１７の回折領域１７ａおよび回折領域１７ｂで回折された第１光束は、集光レンズ１９によって光検出器１８の検出領域１８ａ、１８ｂにそれぞれ光スポット１８ｃ，１８ｄとして集光される。
【０１０２】
一方、低開口数時には、発光素子１２ａから出射されコリメートレンズ１３を通ってビームスプリッター３に入射された光束１６のうち、反射面３ａを透過した第１光束がホログラム素子１７に入射される。この低開口数時には、ホログラム素子１７で回折されて集光レンズ９を介して光検出器１８の検出領域１８ａ，１８ｂに集光される。
【０１０３】
検出領域１８ｂ、１８ａで発生した電流はそれぞれ電流電圧変換アンプ５４ａ，５４ｂにより電圧に変換され、単独信号Ｅと加算アンプ５５ａを経由する加算信号Ｆとが得られる。高開口数時は加算信号Ｆが、また低開口数時は単独信号Ｅがフィードバック信号として用いられ、発光素子１ａ，１２ａの出力制御が行われる。なお、サーボ信号およびＲＦ信号の検出動作については、実施形態４と同様である。
【０１０４】
本実施形態５によれば、第１光束を集光レンズ１９によって光検出器１８上に集光して光量を制御するための信号を得ることができる。
【０１０５】
なお、開口制限部材５は、通過する光束の波長に基づいて光束径を調整可能な波長選択型フィルターによって構成することもできる。この場合には開口切換回路５３を省略することができる。
【０１０６】
その他の構成等は実施形態４と同様である。
【０１０７】
（実施の形態６）
図９は本発明の実施の形態６における光ディスク駆動装置を示しており、図１０はホログラム素子２１に設けられた回折領域を示している。
【０１０８】
図９に示すように、発光素子２０ａは集積ユニット２０内に配設されている。本実施形態６は、実施形態１と同様に１つの発光素子２０ａを有している。集積ユニット２０内には、光検出器２０ｂが配設されている。この光検出器２０ｂは、前光、ＲＦ信号およびサーボ信号の検出用の光検出器である。
【０１０９】
集積ユニット２０には、ホログラム素子２１が取り付けられている。このホログラム素子２１は、発光素子２０ａとコリメートレンズ２との間に配置されている。ホログラム素子２１の上面には、サーボ信号検出用およびＲＦ信号検出用の回折領域２１ｂが形成され、下面（発光素子２０ａからの入射光の入射面）には、前光検出用の反射型回折領域２１ａが形成されている。この回折領域２１ａの外径φＡ’は、高開口数時に開口制限されるときの光束径φＡに対応しており、回折領域２１ｂの外径φＢ’は、低開口数時に開口制限されるときの光束径φＢに対応している。
【０１１０】
本実施形態６では、発光素子２０ａから出射された光束１０の一部は、回折領域２１ａおよび回折領域２１ｂで回折反射されて、光検出器２０ｂ上の第１検出領域と第２検出領域（図示せず）とに集光される。この両検出領域から出力された電流はそれぞれ電流−電圧変換アンプ５４ａ，５４ｂにより電圧に変換され、加算アンプ５５ａにより信号が得られる。また、これらの信号を高開口数時か低開口数時かによって選択し、発光素子２０ａの駆動制御を行なって発光素子２０ａの出力を一定に保つ制御を行なう。
【０１１１】
一方、ホログラム素子２１を透過した０次光は、コリメートレンズ２により略平行光に変換され、開口制限部材５によって高開口数時には光束径φＡに開口制限され、また低開口数使用時には光束径φＢに開口制限される。この光束は対物レンズ６に入射されて、高開口数時は光ディスク７ａ上に、また低開口数時は光ディスク７ｂ上にそれぞれ焦点を結ぶ。光ディスク７ａ、７ｂで反射された光束は、対物レンズ６、開口制限部材５を再び通ってコリメートレンズ２に入射して集光され、ホログラム素子２１に入射する。この光束は、ホログラム素子２１の表面の回折領域２１ｂで回折され、光検出器２０ｂ上の光検出部に焦点を結び、サーボ信号およびＲＦ信号を得ることができる。
【０１１２】
なお、他の構成については実施形態１と同様である。
【０１１３】
（実施の形態７）
図１１は、本発明の実施の形態７における光ディスク駆動装置を示している。図１１に示すように、本実施形態７では、パッケージ２２に収納された発光素子２２ａが、互いに異なる２種類の波長の光を出射する構成となっている。この発光素子２２ａは、互いに異なる波長の光を出射する２つのチップが設けられた構成となっているが、これらは近接配置されているため図１１では便宜上同じ位置から出射されるように描かれている。
【０１１４】
発光素子１ａは、４０５ｎｍの波長の光束１５を出射し、発光素子２２ａは、７９０ｎｍの波長の光束２４と、６５０ｎｍの波長の光束２３とを出射するように構成されている。なお、発光素子１ａ及び発光素子２２ａは同時に駆動されることはなく、何れか一方のみが駆動されて発光する。また、発光素子２２ａは、波長７９０ｎｍの光束２４と波長６５０ｎｍの光束２３を同時に出射するわけではなく、何れか一方を出射する。
【０１１５】
開口制限部材２６は、通過する光束の開口制限を行なうものであり、この開口制限部材２６では、直径がφＡ、φＢ、φＣの３種類に開口制限可能に構成されている。開口制限部材２６は、例えば液晶素子への電圧印加によって開口状態を切り換える構成とされている。
【０１１６】
発光素子２２ａから出射された光束２３，２４は、ビームスプリッタ３の反射面３ａを透過して第１検出器としての光検出器２５へ入射されるようになっている。この光検出器２５には、図１２に示すように、互いに同心円状に配置された３つの検出領域が形成されている。第１検出領域２５ｃの周囲に第２検出領域２５ｂが形成され、その周囲に第３検出領域２５ａが形成されている。第１検出領域２５ｃは、小径の光束径であるφＣと略同じ直径を有する円形の領域によって構成されている。第２検出領域２５ｂは、内径がφＣで、かつ外径が中径の光束径であるφＢである円環状の領域によって構成されている。第３検出領域２５ａは、内径がφＢで、かつ外径が大径の光束径であるφＡである円環状の領域によって構成されている。第１検出領域２５ｃは内側光束を受光し、第３検出領域２５ａは最外側光束を受光し、第２検出領域２５ｂは、内側光束と最外側光束との間の外側光束を受光する。
【０１１７】
制御器５０の開口切換回路５３は、各波長で発光素子１ａ，２２ａを発光させ、そのとき装填されている光ディスクの反射率、信号の種類、振幅、周波数等を検出することにより光ディスクを特定し、それに基づいて開口制限部材２６による開口制限の切り換えを行なうとともに、使用する発光素子１ａ，２２ａの選定を行なうように構成されている。
【０１１８】
駆動制御回路５２は、３つの電流電圧変換アンプ５４ａ，５４ｂ，５４ｃと、２つの加算アンプ５５ａ，５５ｂとを備え、第１制御状態と第２制御状態と第３制御状態に切り換え可能に構成されている。第１制御状態では、第１検出領域２５ｃで受光された受光量に応じた制御信号が出力される。第２制御状態では、第１検出領域２５ｃの受光量と第２検出領域２５ｂの受光量との加算受光量に応じた制御信号が出力される。第３制御状態では、第１検出領域２５ｃの受光量と第２検出領域２５ｂの受光量と第３検出領域２５ａの受光量とを加算した総受光量に応じた制御信号が出力される。
【０１１９】
本実施形態７では、光束径をφＡに開口制限する場合、すなわち高開口数時には、制御器５０の駆動制御回路５２は第３制御状態となる。この高開口数時には、発光素子１ａから光が出射される。この発光素子１ａから出射されてビームスプリッター３の反射面３ａで反射された光は、光検出器２５によって検出され、反射面３ａを透過した光は、実施形態３と同様に光検出器９によって検出される。
【０１２０】
光検出器２５では、第１検出領域２５ｃ、第２検出領域２５ｂ及び第３検出領域２５ａの全ての領域で、発光素子１ａから出射された光が受光される。そして、各検出領域２５ｃ，２５ｂ，２５ａからの出力信号は、それぞれ電流電圧変換アンプ５４ａ，５４ｂ，５４ｃを介して加算アンプ５５ａ，５５ｂに入力され、全検出領域２５ｃ，２５ｂ，２５ａの加算信号Ｅとして出力され、この加算信号Ｅに応じて発光素子１ａの出力を一定に保持する制御が行なわれる。
【０１２１】
一方、光束径をφＢに開口制限する場合、すなわち中開口数時には、制御器５０の駆動制御回路５２は第２制御状態となる。この中開口数時には発光素子２２ａから光が出射される。この光は、３種類の波長の中の２番目に短い波長の光であり、発光素子２２ａから出射される短い方の波長の光である。発光素子２２ａから出射されビームスプリッター３の反射面３ａを透過した光は、光検出器２５で検出され、反射面３ａで反射された光は、実施形態３と同様に光検出器９によって検出される。
【０１２２】
光検出器２５では、検出領域２５ｃ，２５ｂからの出力信号が電流電圧変換アンプ５４ａ，５４ｂを介して加算アンプ５５ａに入力され、加算信号Ｄとして出力される。そして、この加算信号Ｄに応じて発光素子２２ａの出力を一定に保持する制御が行われる。
【０１２３】
また、光束径をφＣに開口制限する場合、すなわち低開口数時には、制御器５０の駆動制御回路５２は第１制御状態となる。この低開口数時には発光素子２２ａから光が出射される。この光は発光素子２２ａから出射される長い方の波長の光である。発光素子２２ａから出射されビームスプリッター３の反射面３ａを透過した光は、光検出器２５で検出され、反射面３ａで反射された光は、実施形態３と同様に光検出器９によって検出される。
【０１２４】
光検出器２５では、第１検出領域２５ｃからの出力信号が電流電圧変換アンプ５４ａを介して単独信号Ｃとして出力される。そして、この単独信号Ｃに応じて発光素子２２ａの出力を一定に保持する制御が行われる。
【０１２５】
なお、他の構成については実施形態３と同様である。
【０１２６】
（実施の形態８）
図１３は、本発明の実施形態８における光ディスク駆動装置を示している。図１３に示すように、本実施形態８では、３つの発光素子１ａ，２２ａ，２８ａがそれぞれ別個のパッケージ１，２２，２８に設けられている。発光素子１ａから出射される光束１５の波長は４０５ｎｍであり、発光素子２２ａから出射される光束２３の波長は７９０ｎｍであり、発光素子２８ａから出射される光束２７の波長は６５０ｎｍである。これらの発光素子１ａ，２２ａ，２８ａは同時に駆動されることはなく、何れか１つが選択されて駆動される。
【０１２７】
コリメートレンズ２とビームスプリッター３との間には、ビームスプリッター３０が配置されている。このビームスプリッター３０と発光素子２８ａとの間にはコリメートレンズ３２が配置されている。このコリメートレンズ３２は、発光素子２８ａから出射されてビームスプリッター３０へ向かう光束２７を平行光束に変換する。
【０１２８】
ビームスプリッター３０は、発光素子１ａからの出射光束１５を透過させる一方、発光素子２８ａからの出射光束２７を反射角４５度で反射させる反射面３０ａを備えている。
【０１２９】
本実施形態８では、高開口数時に発光素子１ａから光束１５が出射される。この光束１５は、コリメートレンズ２とビームスプリッター３０の反射面３０ａとを通過した後、ビームスプリッター３の反射面３ａによって分岐される。
【０１３０】
中開口数時には、発光素子２８ａから光束２７が出射される。この光束２７は、コリメートレンズ３２を通過してビームスプリッター３の反射面３０ａで反射され、ビームスプリッター３に入射される。そして、この光束２７は、反射面３ａによって分岐される。
【０１３１】
低開口数時には、発光素子２２ａから光束２３が出射される。この光束２３は、コリメートレンズ１３を通過してビームスプリッター３に入射される。そして、この光束２３は、反射面３ａによって分岐される。
【０１３２】
高開口数時、中開口数時及び低開口数時の何れにおいても、ビームスプリッター３で分岐された光束１５，２７，２３の進路は実施形態７と同様である。その他の構成等は、実施形態７と同様である。
【０１３３】
（実施の形態９）
図１４は、本発明の実施形態９における光ディスク駆動装置を示している。図１４に示すように、本実施形態９では、ビームスプリッター３と光検出器４との間に開口制限部材３４が配置されている。
【０１３４】
開口制限部材３４は、ビームスプリッター３で分岐された第１光束の開口制限を行なうためのものであり、この開口制限部材３４は、通過する光束の波長に基づいて光束径を調整可能な波長選択型フィルターによって構成されている。すなわち、開口制限部材３４は、発光素子１ａからの出射光束１０が通過するときには、その外周部分を遮蔽して直径φＡの光束を通過させる（第２開口状態）一方、発光素子１ｂからの出射光束１１が通過するときには、その外周部分を遮蔽して直径φＢの光束を通過させる（第１開口状態）ように構成されている。
【０１３５】
なお、開口制限部材３４は、波長選択型フィルターによって構成されるものに限られるわけではなく、例えば、液晶素子への印加電圧を制御して第１開口状態と第２開口状態とを切り換える構成や、内径が可変な開口部を有する遮光部材によって開口状態を切り換える構成や、内径が互いに異なる複数の開口部を有する遮光部材を出し入れする構成等、第１開口状態と第２開口状態とに切り換え可能な構成としてもよい。その他の構成等は、実施形態２と同様である。
【図面の簡単な説明】
【０１３６】
【図１】本発明の実施の形態１に係る光ディスク駆動装置の構成を示す概略図である。
【図２】前記光ディスク駆動装置に設けられた光検出器および駆動制御回路を示す図である。
【図３】本発明の実施の形態２に係る光ディスク駆動装置の構成を示す概略図である。
【図４】本発明の実施の形態３に係る光ディスク駆動装置の構成を示す概略図である。
【図５】本発明の実施の形態４に係る光ディスク駆動装置の構成を示す概略図である。
【図６】前記光ディスク駆動装置に設けられた光検出器および駆動制御回路を示す図である。
【図７】前記光ディスク駆動装置に設けられたホログラム素子の構成を示す概略図である。
【図８】本発明の実施の形態５に係る光ディスク駆動装置の構成を示す概略図である。
【図９】本発明の実施の形態６に係る光ディスク駆動装置の構成を示す概略図である。
【図１０】前記光ディスク駆動装置に設けられたホログラム素子上の回折領域を示す概略図である。
【図１１】本発明の実施の形態７に係る光ディスク駆動装置の構成を示す概略図である。
【図１２】前記光ディスク駆動装置に設けられた光検出器および駆動制御回路を示す図である。
【図１３】本発明の実施の形態８に係る光ディスク駆動装置の構成を示す概略図である。
【図１４】本発明の実施の形態９に係る光ディスク駆動装置の構成を示す概略図である。
【図１５】従来の光ディスク駆動装置の構成を示す概略図である。
【図１６】従来の光ディスク駆動装置における検出器とこれに入射される光束の波形とを概略して示す概念図である。
【符号の説明】
【０１３７】
１    パッケージ
１ａ    発光素子
２    コリメートレンズ
３    ビームスプリッター
４    光検出器
５    開口制限部材
６    対物レンズ
７ａ，７ｂ    光ディスク
９    光検出器
１０    光束
１１    光束
１２    パッケージ
１２ａ    発光素子
１３    コリメートレンズ
１４    ビームスプリッター
１５    光束
１６    光束
１７    ホログラム素子
１８    光検出器
１９    集光レンズ
２１    ホログラム素子
２２    パッケージ
２２ａ  発光素子
２８    パッケージ
２８ａ  発光素子
３４    開口制限部材
５０    制御器
５１    発光素子駆動回路
５２    駆動制御回路
５３    開口切換回路
【図１】
2005267839.tif 000003
【図２】
2005267839.tif 000004
【図３】
2005267839.tif 000005
【図４】
2005267839.tif 000006
【図５】
2005267839.tif 000007
【図６】
2005267839.tif 000008
【図７】
2005267839.tif 000009
【図８】
2005267839.tif 000010
【図９】
2005267839.tif 000011
【図１０】
2005267839.tif 000012
【図１１】
2005267839.tif 000013
【図１２】
2005267839.tif 000014
【図１３】
2005267839.tif 000015
【図１４】
2005267839.tif 000016
【図１５】
2005267839.tif 000017
【図１６】
2005267839.tif 000018